【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
肺機能を評価するためのシステムであって、前記システムは、
（ａ）第１の開口部と第２の開口部とを備える管状通路を備える無線検出ユニットであって、前記第１の開口部は、前記第２の開口部と対向する、無線検出ユニットと、
（ｂ）前記検出ユニットと通信するように構成されるベースステーションであって、前記ベースステーションは、統合バイオメトリックセンサを備え、前記統合バイオメトリックセンサは、指紋に基づいて前記システムの特徴へのアクセスを可能にするように構成される指紋センサであり、前記ベースステーションは、周囲センサと、前記検出ユニットを貯蔵するように定寸および適合されるドッキングクレードルとをさらに備える、ベースステーションと
を備える、システム。
【請求項２】
前記検出ユニットは、充電受信機コイルをさらに備える、請求項１に記載のシステム。
【請求項３】
前記充電受信機コイルは、無線充電受信機コイルである、請求項２に記載のシステム。
【請求項４】
前記システムは、マウスピースをさらに備える、請求項１〜３のうちのいずれか１項に記載のシステム。
【請求項５】
前記マウスピースは、センサを備える、請求項４に記載のシステム。
【請求項６】
前記センサは、流量センサを含み、好ましくは、前記流量センサは、事前較正される、請求項５に記載のシステム。
【請求項７】
前記流量センサは、使い捨て流量センサである、請求項６に記載のシステム。
【請求項８】
前記流量センサは、ニューモタコ管である、請求項６または請求項７に記載のシステム。
【請求項９】
前記ニューモタコ管は、リリータイプニューモタコ管である、請求項８に記載のシステム。
【請求項１０】
前記検出ユニットまたは前記ベースステーションは、１つ以上のインジケータ要素をさらに備える、請求項１〜９のうちのいずれか１項に記載のシステム。
【請求項１１】
前記インジケータ要素は、吸息する、肺内に空気を保持する、または呼息するように、対象に指示する、請求項１０に記載のシステム。
【請求項１２】
前記検出ユニットは、無線ネットワークを経由してデータを前記ベースステーションに伝送する、請求項１〜１１のうちのいずれか１項に記載のシステム。
【請求項１３】
前記ベースステーションは、タッチ視覚ディスプレイをさらに備え、前記タッチ視覚ディスプレイは、リアルタイムでスパイロメトリデータを表示する、請求項１〜１１のうちのいずれか１項に記載のシステム。
【請求項１４】
前記周囲センサは、湿度センサである、請求項１〜１３のうちのいずれか１項に記載のシステム。
【請求項１５】
肺機能を評価することに使用するために請求項１〜１４のいずれか１項に記載のシステムを対象に提供することを含む方法。
【手続補正２】
【補正対象書類名】明細書
【補正対象項目名】００１９
【補正方法】変更
【補正の内容】
【００１９】
例示的実施形態の新規特徴が、特に添付の請求項とともに説明される。特徴および利点のより深い理解が、例示的実施形態の原理が利用される、例証的実施形態を記載する以下の詳細な説明と、付随の図面とを参照することによって得られるであろう。
本発明は、例えば、以下を提供する。
（項目１）
肺機能を評価するためのシステムであって、
（ａ）第１の開口部と、第２の開口部とを備える管状通路を備える無線検出ユニットであって、前記第１の開口部は、前記第２の開口部と対向する、検出ユニットと、
（ｂ）前記検出ユニットと通信するように構成される、ベースステーションであって、前記ベースステーションは、統合バイオメトリックセンサを備え、前記統合バイオメトリックセンサは、指紋センサであり、前記ベースステーションは、周囲センサと、前記検出ユニットを貯蔵するように定寸および適合されるドッキングクレードルとをさらに備える、ベースステーションと
を備える、システム。
（項目２）
前記検出ユニットはさらに、電源を備える、項目１に記載のシステム。
（項目３）
前記電源は、バッテリである、項目２に記載のシステム。
（項目４）
前記バッテリは、リチウムイオンバッテリパックである、項目３に記載のシステム。
（項目５）
前記検出ユニットはさらに、充電受信機コイルを備える、項目１−４のうちのいずれか１項に記載のシステム。
（項目６）
前記充電受信機コイルは、無線充電受信機コイルである、項目５に記載のシステム。
（項目７）
前記検出ユニットはさらに、ジャイロスコープまたは加速度計を備える、項目１−６のうちのいずれか１項に記載のシステム。
（項目８）
前記ジャイロスコープまたは加速度計は、配向、回転、および振動を含む、軸方向変化を検出する、項目７に記載のシステム。
（項目９）
前記システムはさらに、マウスピースを備える、項目１−８のうちのいずれか１項に記載のシステム。
（項目１０）
前記マウスピースは、第１の端部と、第２の端部とを備える、管状伸長本体を備え、前記第１の端部は、前記第２の端部と対向し、前記第１の端部は、開口部を備え、対象が前記マウスピースの中に空気を呼息することを可能にするように構成される、項目９に記載のシステム。
（項目１１）
第２の端部は、前記検出ユニットの管状通路内に配置される、項目１０に記載のシステム。
（項目１２）
前記マウスピースは、センサを備える、項目９−１１のうちのいずれか１項に記載のシステム。
（項目１３）
前記センサは、アルコールセンサである、項目１２に記載のシステム。
（項目１４）
前記センサは、流量センサである、項目１２に記載のシステム。
（項目１５）
前記流量センサは、事前較正される、項目１４に記載のシステム。
（項目１６）
前記流量センサは、使い捨て流量センサである、項目１４または１５に記載のシステム。
（項目１７）
前記流量センサは、ニューモタコ管である、項目１４−１６のうちのいずれか１項に記載のシステム。
（項目１８）
前記ニューモタコ管は、リリータイプニューモタコ管である、項目１７に記載のシステム。
（項目１９）
前記検出ユニットまたは前記ベースステーションはさらに、１つ以上のインジケータ要素を備える、項目１−１８のうちのいずれか１項に記載のシステム。
（項目２０）
前記１つ以上のインジケータ要素は、１つ以上の可聴源を備える、項目１９に記載のシステム。
（項目２１）
前記１つ以上のインジケータ要素は、１つ以上の発光ダイオードを備える、項目１９に記載のシステム。
（項目２２）
前記１つ以上の発光ダイオードは、対象またはユーザに指示する、項目２１に記載のシステム。
（項目２３）
前記１つ以上の発光ダイオードは、吸息する、肺内に空気を保持する、または呼息するように前記対象に指示する、項目２２に記載のシステム。
（項目２４）
前記１つ以上の発光ダイオードは、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示する、項目２３に記載のシステム。
（項目２５）
前記検出ユニットは、ネットワークを経由してデータを前記ベースステーションに伝送する、項目１−２４のうちのいずれか１項に記載のシステム。
（項目２６）
前記検出ユニットは、Ｂｌｕｅｔｏｏｔｈ（登録商標）接続を介してデータを前記ベースステーションに伝送する、項目２５に記載のシステム。
（項目２７）
前記ネットワークは、無線ネットワークである、項目２４または２５に記載のシステム。
（項目２８）
前記ベースステーションは、Ｂｌｕｅｔｏｏｔｈ（登録商標）、ＺｉｇＢｅｅ、赤外線伝送、または短距離無線通信を使用して、前記検出ユニットと通信する、項目２７に記載のシステム。
（項目２９）
前記ベースステーションは、２つ以上の検出ユニットと通信する、項目２７に記載のシステム。
（項目３０）
前記検出ユニットおよび前記ベースステーションは、ある距離だけ分離される、項目２７に記載のシステム。
（項目３１）
前記ベースステーションはさらに、視覚ディスプレイを備える、項目１−３０のうちのいずれか１項に記載のシステム。
（項目３２）
前記視覚ディスプレイは、リアルタイムでスパイロメトリデータを表示する、項目３１に記載のシステム。
（項目３３）
前記視覚ディスプレイは、リアルタイムで前記データの妥当性を示すアニメーションアイコンを備える、項目３２に記載のシステム。
（項目３４）
前記視覚ディスプレイは、前記検出ユニットによって収集されたデータの成功に関するフィードバックを提供する、ユーザアイコンまたは対象アイコンを表示する、項目３２に記載のシステム。
（項目３５）
前記ベースステーションはさらに、電源を備える、項目１−３４のうちのいずれか１項に記載のシステム。
（項目３６）
前記電源は、バッテリである、項目３５に記載のシステム。
（項目３７）
前記バッテリは、リチウムイオンバッテリパックである、項目３６に記載のシステム。
（項目３８）
前記ベースステーションはさらに、充電送信機コイルを備える、項目１−３７のうちのいずれか１項に記載のシステム。
（項目３９）
前記充電送信機コイルは、無線充電送信機コイルである、項目３８に記載のシステム。
（項目４０）
前記周囲センサは、湿度センサである、項目１−４０のうちのいずれか１項に記載のシステム。
（項目４１）
肺機能を評価するためのシステムであって、
（ａ）第１の開口部と、第２の開口部とを備える管状通路を備える無線検出ユニットであって、前記第１の開口部は、前記第２の開口部と対向し、前記検出ユニットは、充電受信機コイルをさらに備える、検出ユニットと、
（ｂ）前記検出ユニットと通信するように構成される、ベースステーションであって、前記ベースステーションは、タッチ視覚ディスプレイと、ドッキングクレードルとを備え、前記ドッキングクレードルは、充電送信機コイルを備え、前記検出ユニットを貯蔵し、前記検出ユニットを無線で充電するように定寸および適合される、ベースステーションと
を備える、システム。
（項目４２）
前記検出ユニットはさらに、電源を備える、項目４１に記載のシステム。
（項目４３）
前記電源は、バッテリである、項目４２に記載のシステム。
（項目４４）
前記バッテリは、リチウムイオンバッテリパックである、項目４３に記載のシステム。
（項目４５）
前記充電受信機コイルは、無線充電受信機コイルである、項目４１−４４のうちのいずれか１項に記載のシステム。
（項目４６）
前記検出ユニットはさらに、ジャイロスコープまたは加速度計を備える、項目４１−４５のうちのいずれか１項に記載のシステム。
（項目４７）
前記ジャイロスコープまたは加速度計は、配向、回転、および振動を含む、軸方向変化を検出する、項目４６に記載のシステム。
（項目４８）
前記システムはさらに、マウスピースを備える、項目４１−４７のうちのいずれか１項に記載のシステム。
（項目４９）
前記マウスピースは、第１の端部と、第２の端部とを備える、管状伸長本体を備え、前記第１の端部は、前記第２の端部と対向し、前記第１の端部は、開口部を備え、対象が前記マウスピースの中に空気を呼息することを可能にするように構成される、項目４８に記載のシステム。
（項目５０）
第２の端部は、前記検出ユニットの管状通路内に配置される、項目４９に記載のシステム。
（項目５１）
前記マウスピースは、センサを備える、項目４８−５０のうちのいずれか１項に記載のシステム。
（項目５２）
前記センサは、アルコールセンサである、項目５１に記載のシステム。
（項目５３）
前記センサは、流量センサである、項目５１に記載のシステム。
（項目５４）
前記流量センサは、事前較正される、項目５３に記載のシステム。
（項目５５）
前記流量センサは、使い捨て流量センサである、項目５３または５４に記載のシステム。
（項目５６）
前記流量センサは、ニューモタコ管である、項目５３−５５のうちのいずれか１項に記載のシステム。
（項目５７）
前記ニューモタコ管は、リリータイプニューモタコ管である、項目５６に記載のシステム。
（項目５８）
前記検出ユニットまたは前記ベースステーションはさらに、１つ以上のインジケータ要素を備える、項目４１−５７のうちのいずれか１項に記載のシステム。
（項目５９）
前記１つ以上のインジケータ要素は、１つ以上の可聴源を備える、項目５８に記載のシステム。
（項目６０）
前記１つ以上のインジケータ要素は、１つ以上の発光ダイオードを備える、項目５８に記載のシステム。
（項目６１）
前記１つ以上の発光ダイオードは、対象またはユーザに指示する、項目６０に記載のシステム。
（項目６２）
前記１つ以上の発光ダイオードは、吸息する、肺内に空気を保持する、または呼息するように前記対象に指示する、項目６１に記載のシステム。
（項目６３）
前記１つ以上の発光ダイオードは、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示する、項目６２に記載のシステム。
（項目６４）
前記検出ユニットは、ネットワークを経由してデータを前記ベースステーションに伝送する、項目４１−６３のうちのいずれか１項に記載のシステム。
（項目６５）
前記検出ユニットは、Ｂｌｕｅｔｏｏｔｈ（登録商標）接続を介してデータを前記ベースステーションに伝送する、項目６４に記載のシステム。
（項目６６）
前記ネットワークは、無線ネットワークである、項目６４または６５に記載のシステム。
（項目６７）
前記ベースステーションは、Ｂｌｕｅｔｏｏｔｈ（登録商標）、ＺｉｇＢｅｅ、赤外線伝送、または短距離無線通信を使用して、前記検出ユニットと通信する、項目６６に記載のシステム。
（項目６８）
前記ベースステーションは、２つ以上の検出ユニットと通信する、項目６６に記載のシステム。
（項目６９）
前記検出ユニットおよび前記ベースステーションは、ある距離だけ分離される、項目６６に記載のシステム。
（項目７０）
前記タッチ視覚ディスプレイは、リアルタイムでスパイロメトリデータを表示する、項目４１−６９のうちのいずれか１項に記載のシステム。
（項目７１）
前記タッチ視覚ディスプレイは、リアルタイムで前記データの妥当性を示すアニメーションアイコンを備える、項目７０に記載のシステム。
（項目７２）
前記タッチ視覚ディスプレイは、前記検出ユニットによって収集されたデータの成功に関するフィードバックを提供する、ユーザアイコンまたは対象アイコンを表示する、項目７０に記載のシステム。
（項目７３）
前記ベースステーションはさらに、電源を備える、項目４１−７２のうちのいずれか１項に記載のシステム。
（項目７４）
前記電源は、バッテリである、項目７３に記載のシステム。
（項目７５）
前記バッテリは、リチウムイオンバッテリパックである、項目７４に記載のシステム。
（項目７６）
前記充電送信機コイルは、無線充電送信機コイルである、項目４１−７５のうちのいずれか１項に記載のシステム。
（項目７７）
前記ベースステーションはさらに、バイオメトリックセンサを備える、項目４１−７６のうちのいずれか１項に記載のシステム。
（項目７８）
前記バイオメトリックセンサは、指紋センサである、項目７７に記載のシステム。
（項目７９）
肺機能を評価するためのシステムであって、
（ａ）電源と、充電受信機コイルとを備える、無線検出ユニットであって、前記検出ユニットは、第１の開口部と、第２の開口部とを備える管状通路を備え、前記第１の開口部は、前記第２の開口部と対向する、検出ユニットと、
（ｂ）Ｂｌｕｅｔｏｏｔｈ（登録商標）接続を経由して前記検出ユニットと通信するように構成される、ベースステーションであって、前記ベースステーションは、周囲センサと、統合バイオメトリックセンサとを備え、前記統合バイオメトリックセンサは、指紋センサであり、前記指紋センサは、ドッキングクレードルとタッチ視覚ディスプレイとの間に位置し、前記ドッキングクレードルは、充電送信機コイルを備え、前記検出ユニットを貯蔵し、前記検出ユニットを無線で充電するように定寸および適合される、ベースステーションと
を備える、システム。
（項目８０）
前記充電受信機コイルは、無線充電受信機コイルである、項目７９に記載のシステム。
（項目８１）
前記検出ユニットはさらに、ジャイロスコープまたは加速度計を備える、項目７９−８０のうちのいずれか１項に記載のシステム。
（項目８２）
前記ジャイロスコープまたは加速度計は、配向、回転、および振動を含む、軸方向変化を検出する、項目８１に記載のシステム。
（項目８３）
前記システムはさらに、マウスピースを備える、項目７９−８２のうちのいずれか１項に記載のシステム。
（項目８４）
前記マウスピースは、第１の端部と、第２の端部とを備える、管状伸長本体を備え、前記第１の端部は、前記第２の端部と対向し、前記第１の端部は、開口部を備え、対象が前記マウスピースの中に空気を呼息することを可能にするように構成される、項目８３に記載のシステム。
（項目８５）
第２の端部は、前記検出ユニットの管状通路内に配置される、項目８４に記載のシステム。
（項目８６）
前記マウスピースは、センサを備える、項目８３−８５のうちのいずれか１項に記載のシステム。
（項目８７）
前記センサは、アルコールセンサである、項目８６に記載のシステム。
（項目８８）
前記センサは、流量センサである、項目８６に記載のシステム。
（項目８９）
前記流量センサは、事前較正される、項目８８に記載のシステム。
（項目９０）
前記流量センサは、使い捨て流量センサである、項目８８または８９に記載のシステム。
（項目９１）
前記流量センサは、ニューモタコ管である、項目８８−９０のうちのいずれか１項に記載のシステム。
（項目９２）
前記ニューモタコ管は、リリータイプニューモタコ管である、項目９１に記載のシステム。
（項目９３）
前記検出ユニットまたは前記ベースステーションはさらに、１つ以上のインジケータ要素を備える、項目７９−９２のうちのいずれか１項に記載のシステム。
（項目９４）
前記１つ以上のインジケータ要素は、１つ以上の可聴源を備える、項目９３に記載のシステム。
（項目９５）
前記１つ以上のインジケータ要素は、１つ以上の発光ダイオードを備える、項目９３に記載のシステム。
（項目９６）
前記１つ以上の発光ダイオードは、対象またはユーザに指示する、項目９５に記載のシステム。
（項目９７）
前記１つ以上の発光ダイオードは、吸息する、肺内に空気を保持する、または呼息するように前記対象に指示する、項目９６に記載のシステム。
（項目９８）
前記１つ以上の発光ダイオードは、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示する、項目９７に記載のシステム。
（項目９９）
前記検出ユニットは、ネットワークを経由してデータを前記ベースステーションに伝送する、項目７９−９８のうちのいずれか１項に記載のシステム。
（項目１００）
前記ネットワークは、無線ネットワークである、項目９９に記載のシステム。
（項目１０１）
前記ベースステーションは、ＺｉｇＢｅｅ、赤外線伝送、または短距離無線通信を使用して、前記検出ユニットと通信する、項目１００に記載のシステム。
（項目１０２）
前記ベースステーションは、２つ以上の検出ユニットと通信する、項目１００に記載のシステム。
（項目１０３）
前記検出ユニットおよび前記ベースステーションは、ある距離だけ分離される、項目１００に記載のシステム。
（項目１０４）
前記タッチ視覚ディスプレイは、リアルタイムでスパイロメトリデータを表示する、項目７９−１０３のうちのいずれか１項に記載のシステム。
（項目１０５）
前記タッチ視覚ディスプレイは、リアルタイムで前記データの妥当性を示すアニメーションアイコンを備える、項目１０４に記載のシステム。
（項目１０６）
前記タッチ視覚ディスプレイは、前記検出ユニットによって収集されたデータの成功に関するフィードバックを提供する、ユーザアイコンまたは対象アイコンを表示する、項目１０４に記載のシステム。
（項目１０７）
前記ベースステーションはさらに、電源を備える、項目７９−１０６のうちのいずれか１項に記載のシステム。
（項目１０８）
前記電源は、バッテリである、項目１０７に記載のシステム。
（項目１０９）
前記バッテリは、リチウムイオンバッテリパックである、項目１０８に記載のシステム。
（項目１１０）
前記充電送信機コイルは、無線充電送信機コイルである、項目７９−１０９のうちのいずれか１項に記載のシステム。
（項目１１１）
前記周囲センサは、湿度センサである、項目７９−１１０のうちのいずれか１項に記載のシステム。
（項目１１２）
肺機能試験を実施するための方法であって、前記方法は、
（ａ）  マウスピースと、センサとを備える検出ユニットを対象に提供することと、
（ｂ）  バイオメトリックデータを使用して、アプリケーションのユーザを識別することと、
（ｃ）ベースステーションにおいて、前記検出ユニットから伝送されたスパイロメトリデータを受信することと、
（ｄ）前記ベースステーションを監視して、試験誤差を判定することと
を含む、方法。
（項目１１３）
前記試験誤差は、対象努力における変動からもたらされる、項目１１２に記載の方法。
（項目１１４）
スパイロメトリデータを収集するための方法であって、前記方法は、
（ａ）ベースステーションにおいて、統合バイオメトリックセンサから、ユーザからのバイオメトリックデータを収集することと、
（ｂ）マウスピースと、センサとを備える検出ユニットを対象に提供することと、
（ｃ）前記検出ユニットから伝送されたスパイロメトリデータを受信することと、
（ｄ）前記ベースステーションから収集されたバイオメトリックデータを、前記検出ユニットから収集されたスパイロメトリデータと相関させることと、
（ｅ）  前記ベースステーション上で前記収集されたスパイロメトリデータを処理することと
を含む、方法。
（項目１１５）
スパイロメトリデータの品質を改良するための方法であって、前記方法は、
（ａ）ベースステーションにおいて、統合バイオメトリックセンサから、ユーザからのバイオメトリックデータを収集することと、
（ｂ）マウスピースと、センサとを備える検出ユニットを対象に提供することと、
（ｃ）前記検出ユニットから伝送されたスパイロメトリデータを受信することであって、前記ベースステーションは、前記スパイロメトリデータをグラフで表示し、試験誤差を示すように構成される、ことと、
（ｄ）前記ベースステーション上で前記受信されたスパイロメトリデータを処理することと
を含む、方法。
（項目１１６）
前記試験誤差は、対象努力における変動に起因する、項目１１５に記載の方法。
（項目１１７）
前記ユーザおよび前記対象は、同一の個人である、項目１１５に記載の方法。
（項目１１８）
前記ユーザおよび前記対象は、同一の個人ではない、項目１１５に記載の方法。
（項目１１９）
前記対象によって提供された呼気サンプルから前記スパイロメトリデータを生成することをさらに含み、前記スパイロメトリデータは、前記センサによって前記呼気サンプルから生成される、項目１１２、１１４、または１１５のうちのいずれか１項に記載の方法。
（項目１２０）
ネットワークを経由して前記検出ユニットから前記スパイロメトリデータを伝送することをさらに含む、項目１１９に記載の方法。
（項目１２１）
Ｂｌｕｅｔｏｏｔｈ（登録商標）接続を介して前記検出ユニットから前記スパイロメトリデータを伝送することをさらに含む、項目１１９に記載の方法。
（項目１２２）
対象からスパイロメトリ試験結果を収集するためのシステムを製造するための方法であって、前記方法は、
（ａ）センサと、マウスピースとを備える検出ユニットを構築することであって、前記検出ユニットは、対象努力における変動からもたらされる試験誤差を低減させるように構成される、ことと、
（ｂ）前記検出ユニットとベースステーションとの間の無線通信を構成することであって、前記ベースステーションは、前記検出ユニットによって収集されたスパイロメトリデータを表示するための視覚ディスプレイを備える、ことと、
（ｃ）前記収集されたスパイロメトリデータを処理または転送するためのアプリケーションを前記ベースステーションにインストールすることと
を含む、方法。
（項目１２３）
対象からのスパイロメトリデータにおける対象誤差を低減させるためのシステムを製造するための方法であって、前記方法は、
（ａ）検出ユニットと、ベースステーションとを備えるシステムを構築することと、
（ｂ）バイオメトリックセンサを前記ベースステーションに統合することと、
（ｃ）前記検出ユニットからスパイロメトリデータを受信するための１つ以上の機構を伴う前記ベースステーションを構成することと
を含む、方法。
（項目１２４）
前記ベースステーションは、クラウドから遠隔コマンドおよび構成を受信する、項目１１２、１１４、１１５、１２２、または１２３のうちのいずれか１項に記載の方法。
（項目１２５）
前記スパイロメトリデータは、ネットワークを経由して前記検出ユニットから伝送される、項目１２３に記載の方法。
（項目１２６）
Ｂｌｕｅｔｏｏｔｈ（登録商標）接続を介して前記検出ユニットから前記スパイロメトリデータを伝送することをさらに含む、項目１２３に記載の方法。
（項目１２７）
前記検出ユニットは、センサと、マウスピースとを備える、項目１２３に記載の方法。
（項目１２８）
前記センサは、流量センサを備える、項目１１２−１２２または１２７に記載の方法。
（項目１２９）
前記流量センサは、事前較正される、項目１２８に記載の方法。
（項目１３０）
前記流量センサは、使い捨て流量センサである、項目１２８に記載の方法。
（項目１３１）
前記流量センサは、ニューモタコ管である、項目１２８、１２９、または１３０に記載の方法。
（項目１３２）
前記ニューモタコ管は、リリータイプニューモタコ管である、項目１３１に記載の方法。
（項目１３３）
前記検出ユニットはさらに、１つ以上のインジケータ要素を備える、項目１１２−１３２のうちのいずれか１項に記載の方法。
（項目１３４）
前記１つ以上のインジケータ要素は、１つ以上の発光ダイオードを備える、項目１３３に記載の方法。
（項目１３５）
前記１つ以上の発光ダイオードは、前記検出ユニットを使用する対象またはユーザに指示する、項目１３４に記載の方法。
（項目１３６）
吸息する、肺内に空気を保持する、または呼息するように前記対象に指示することをさらに含む、項目１３５に記載の方法。
（項目１３７）
前記１つ以上の発光ダイオードは、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示する、項目１３６に記載の方法。
（項目１３８）
前記１つ以上のインジケータ要素は、１つ以上の可聴源を備える、項目１３３に記載の方法。
（項目１３９）
前記検出ユニットはさらに、ジャイロスコープまたは加速度計を備える、項目１１２−１３８のうちのいずれか１項に記載の方法。
（項目１４０）
前記ジャイロスコープまたは加速度計は、配向、回転、および振動を含む、軸方向変化を検出する、項目１３９に記載の方法。
（項目１４１）
前記ベースステーションは、統合バイオメトリックセンサを備える、項目１１２または１１３に記載の方法。
（項目１４２）
前記バイオメトリックセンサは、指紋センサである、項目１２３または１４１に記載の方法。
（項目１４３）
前記バイオメトリックセンサは、バイオメトリックデータを収集する、項目１４２に記載の方法。
（項目１４４）
前記バイオメトリックデータは、アプリケーションへのアクセスを制御する、項目１４３に記載の方法。
（項目１４５）
前記アプリケーションは、記憶されたスパイロメトリデータへのアクセスを提供する、項目１４４に記載の方法。
（項目１４６）
前記アプリケーションは、前記検出ユニットを動作させるためのアクセスを提供する、項目１４４に記載の方法。
（項目１４７）
前記アプリケーションは、前記ベースステーションを使用することを認可された個人を識別する、項目１４４に記載の方法。
（項目１４８）
前記個人は、臨床医である、項目１４７に記載の方法。
（項目１４９）
前記ベースステーションはさらに、１つ以上のインジケータ要素を備える、項目１１２−１３２のうちのいずれか１項に記載の方法。
（項目１５０）
前記１つ以上のインジケータ要素は、１つ以上の発光ダイオードを備える、項目１４９に記載の方法。
（項目１５１）
前記１つ以上の発光ダイオードは、前記対象または前記ユーザに指示する、項目１５０に記載の方法。
（項目１５２）
吸息する、肺内に空気を保持する、または呼息するように前記対象に指示することをさらに含む、項目１５１に記載の方法。
（項目１５３）
前記１つ以上の発光ダイオードは、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示する、項目１５２に記載の方法。
（項目１５４）
前記１つ以上のインジケータ要素は、１つ以上の可聴源を備える、項目１４９に記載の方法。
（項目１５５）
前記検出ユニットは、前記ベースステーション上で充電される、項目１１２−１４８のうちのいずれか１項に記載の方法。
（項目１５６）
前記検出ユニットは、無線で充電される、項目１５５に記載の方法。
（項目１５７）
前記ネットワークは、無線ネットワークである、項目１２０または１２５のうちのいずれか１項に記載の方法。
（項目１５８）
前記ベースステーションは、Ｂｌｕｅｔｏｏｔｈ（登録商標）、ＺｉｇＢｅｅ、赤外線伝送、または他の短距離無線通信を使用して、前記検出ユニットと通信する、項目１２２または１５７に記載の方法。
（項目１５９）
前記ベースステーションは、２つ以上の検出ユニットと通信する、項目１５８に記載の方法。
（項目１６０）
前記検出ユニットおよび前記ベースステーションは、ある距離だけ分離される、項目１５７に記載の方法。
（項目１６１）
前記ベースステーションはさらに、データをデータベースまたはサーバに伝送する、項目１１２−１６０のうちのいずれか１項に記載の方法。
（項目１６２）
前記データベースまたはサーバは、クラウドベースのデータベースまたはサーバである、項目１６１に記載の方法。
（項目１６３）
前記スパイロメトリデータは、１つ以上のサーバ、データベース、ネットワーク接続型記憶ユニットを含む記憶ユニット、ボリューム、またはそれらの任意の組み合わせに伝送される、項目１６１に記載の方法。
（項目１６４）
前記ベースステーションはさらに、有線接続を介してデータを伝送する、項目１６１、１６２、または１６３に記載の方法。
（項目１６５）
前記有線接続は、ＵＳＢまたはイーサネット（登録商標）接続である、項目１６４に記載の方法。
（項目１６６）
前記ベースステーションはさらに、無線接続を介してデータを伝送する、項目１６１、１６２、または１６３に記載の方法。
（項目１６７）
前記無線接続は、Ｗｉ−Ｆｉ、３Ｇ、４Ｇ  ＬＴＥ、またはＢｌｕｅｔｏｏｔｈ（登録商標）接続である、項目１６６に記載の方法。
（項目１６８）
前記ベースステーションはさらに、視覚ディスプレイを備える、項目１１２−１２０または１２３に記載の方法。
（項目１６９）
前記視覚ディスプレイは、リアルタイムでスパイロメトリデータを表示する、項目１６８に記載の方法。
（項目１７０）
前記視覚ディスプレイは、前記検出ユニットによって収集されたデータの成功に関するフィードバックを提供する、ユーザアイコンまたは対象アイコンを表示する、項目１６９に記載の方法。
（項目１７１）
肺機能を試験するためのシステムであって、
（ａ）センサと、マウスピースとを備える、無線検出ユニットと、
（ｂ）前記検出ユニットと通信するように構成される、ベースステーションであって、前記ベースステーションは、統合バイオメトリックセンサを備える、ベースステーションと、
（ｃ）前記検出ユニットを無線で充電および貯蔵するように構成される、ドッキングクレードルと
を備える、システム。
（項目１７２）
前記ベースステーションは、クラウドから遠隔コマンドおよび構成を受信する、項目１７１に記載のシステム。
（項目１７３）
前記センサは、流量センサである、項目１７１に記載のシステム。
（項目１７４）
前記流量センサは、事前較正される、項目１７３に記載のシステム。
（項目１７５）
前記流量センサは、使い捨て流量センサである、項目１７３に記載のシステム。
（項目１７６）
前記流量センサは、ニューモタコ管である、項目１７３、１７４、または１７５に記載のシステム。
（項目１７７）
前記ニューモタコ管は、リリータイプニューモタコ管である、項目１７６に記載のシステム。
（項目１７８）
前記検出ユニットはさらに、１つ以上のインジケータ要素を備える、項目１７１に記載のシステム。
（項目１７９）
前記１つ以上のインジケータ要素は、１つ以上の発光ダイオードを備える、項目１７８に記載のシステム。
（項目１８０）
前記１つ以上の発光ダイオードは、前記検出ユニットを使用する対象またはユーザに指示する、項目１７９に記載のシステム。
（項目１８１）
前記１つ以上の発光ダイオードは、吸息する、肺内に空気を保持する、または呼息するように前記対象に指示する、項目１８０に記載のシステム。
（項目１８２）
前記１つ以上の発光ダイオードは、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示する、項目１８１に記載のシステム。
（項目１８３）
前記１つ以上のインジケータ要素は、１つ以上の可聴源を備える、項目１７８に記載のシステム。
（項目１８４）
前記ベースステーションはさらに、１つ以上のインジケータ要素を備える、項目１７１に記載のシステム。
（項目１８５）
前記１つ以上のインジケータ要素は、１つ以上の発光ダイオードを備える、項目１８４に記載のシステム。
（項目１８６）
前記１つ以上の発光ダイオードは、対象またはユーザに指示する、項目１８５に記載のシステム。
（項目１８７）
前記１つ以上の発光ダイオードは、吸息する、肺内に空気を保持する、または呼息するように前記対象に指示する、項目１８６に記載のシステム。
（項目１８８）
前記１つ以上の発光ダイオードは、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示する、項目１８７に記載のシステム。
（項目１８９）
前記１つ以上のインジケータ要素は、１つ以上の可聴源を備える、項目１８４に記載のシステム。
（項目１９０）
前記検出ユニットはさらに、ジャイロスコープまたは加速度計を備える、項目１７１に記載のシステム。
（項目１９１）
前記ジャイロスコープまたは加速度計は、配向、回転、および振動を含む、軸方向変化を検出する、項目１９０に記載のシステム。
（項目１９２）
前記バイオメトリックセンサは、指紋センサを備える、項目１７２−１９１のうちのいずれか１項に記載のシステム。
（項目１９３）
前記検出ユニットは、ネットワークを経由してデータを前記ベースステーションに伝送する、項目１９２のうちのいずれか１項に記載のシステム。
（項目１９４）
前記検出ユニットは、Ｂｌｕｅｔｏｏｔｈ（登録商標）接続を介してデータを前記ベースステーションに伝送する、項目１７１に記載のシステム。
（項目１９５）
前記ネットワークは、無線ネットワークである、項目１９３または１９４に記載のシステム。
（項目１９６）
前記ベースステーションは、Ｂｌｕｅｔｏｏｔｈ（登録商標）、ＺｉｇＢｅｅ、赤外線伝送、または短距離無線通信を使用して、前記検出ユニットと通信する、項目１９５に記載のシステム。
（項目１９７）
前記ベースステーションは、２つ以上の検出ユニットと通信する、項目１９５に記載のシステム。
（項目１９８）
前記検出ユニットおよび前記ベースステーションは、ある距離だけ分離される、項目１９５に記載のシステム。
（項目１９９）
前記ベースステーションはさらに、視覚ディスプレイを備える、項目１７１に記載のシステム。
（項目２００）
前記視覚ディスプレイは、リアルタイムでスパイロメトリデータを表示する、項目１９９に記載のシステム。
（項目２０１）
前記視覚ディスプレイは、リアルタイムで前記データの妥当性を示すアニメーションアイコンを備える、項目１９９に記載のシステム。
（項目２０２）
前記視覚ディスプレイは、前記検出ユニットによって収集されたデータの成功に関するフィードバックを提供する、ユーザアイコンまたは対象アイコンを表示する、項目１９９に記載のシステム。
（項目２０３）
電子デバイスにおける使用のために好適な非一時コンピュータ可読媒体であって、前記媒体は、命令を備え、前記命令は、前記電子デバイスによって実行されると、前記電子デバイスに、
（ａ）バイオメトリックデータを使用して、アプリケーションへのアクセスを制御することと、
（ｂ）ベースステーションにおいて、マウスピースと、センサとを備える検出ユニットから伝送されたデータを受信することと、
（ｃ）データを前記ベースステーションから外部サーバまたはデータベースに伝送することと
を実施させる、コンピュータ可読媒体。
（項目２０４）
前記データベースまたはサーバは、クラウドベースのデータベースまたはサーバである、項目２０３に記載のコンピュータ可読媒体。
（項目２０５）
前記電子デバイスによって実行されると、前記ベースステーションに、有線接続を介してデータを伝送させる命令をさらに備える、項目２０３または２０４に記載のコンピュータ可読媒体。
（項目２０６）
前記有線接続は、ＵＳＢまたはイーサネット（登録商標）接続である、項目２０５に記載のコンピュータ可読媒体。
（項目２０７）
前記電子デバイスによって実行されると、前記ベースステーションに、無線接続を介してデータを伝送させる命令をさらに備える、項目２０３または２０４に記載のコンピュータ可読媒体。
（項目２０８）
前記無線接続は、Ｗｉ−Ｆｉ、３Ｇ、４Ｇ  ＬＴＥ、またはＢｌｕｅｔｏｏｔｈ（登録商標）接続である、項目２０７に記載のコンピュータ可読媒体。
（項目２０９）
前記電子デバイスによって実行されると、前記ベースステーションに、クラウドから遠隔コマンドおよび構成を受信させる命令をさらに備える、項目２０３に記載のコンピュータ可読媒体。
（項目２１０）
電子デバイスにおける使用のために好適な非一時コンピュータ可読媒体であって、前記媒体は、命令を備え、前記命令は、前記電子デバイスによって実行されると、前記電子デバイスに、
（ａ）統合バイオメトリックセンサを備えるベースステーションにおいて、ユーザからバイオメトリックデータを収集することと、
（ｂ）検出ユニットから伝送されたデータを受信することであって、前記検出ユニットは、マウスピースと、センサとを備える、ことと、
（ｃ）前記ベースステーションから収集されたバイオメトリックデータを、前記検出ユニットから収集されたデータと相関させることと、
（ｄ）前記ベースステーション上で収集されたデータを処理することと
を実施させる、コンピュータ可読媒体。
（項目２１１）
電子デバイスにおける使用のために好適な非一時コンピュータ可読媒体であって、前記媒体は、命令を備え、前記命令は、前記電子デバイスによって実行されると、前記電子デバイスに、
（ａ）統合バイオメトリックセンサを備えるベースステーションにおいて、ユーザからバイオメトリックデータを収集することと、
（ｂ）マウスピースと、センサとを備える検出ユニットから伝送されたデータを受信することであって、前記検出ユニットは、マウスピースと、センサとを備え、前記ベースステーションは、前記バイオメトリックデータが有効であるかどうかを示すように構成される、ことと、
（ｃ）前記ベースステーション上で前記受信されたデータを処理することと
を実施させる、コンピュータ可読媒体。
（項目２１２）
前記電子デバイスによって実行されると、前記データが、対象によって提供された呼気サンプルから生成されるようにする命令をさらに備え、前記データは、前記センサによって前記呼気サンプルから生成される、項目２０３−２１１のうちのいずれか１項に記載のコンピュータ可読媒体。
（項目２１３）
前記電子デバイスによって実行されると、前記検出ユニットに、Ｂｌｕｅｔｏｏｔｈ（登録商標）接続を介して前記データを伝送させる命令をさらに備える、項目２１２に記載のコンピュータ可読媒体。
（項目２１４）
前記電子デバイスによって実行されると、前記検出ユニットに、ネットワークを経由して前記データを伝送させる命令をさらに備える、項目２１２に記載のコンピュータ可読媒体。
（項目２１５）
前記センサは、流量センサである、項目２１４に記載のコンピュータ可読媒体。
（項目２１６）
前記流量センサは、事前較正される、項目２１５に記載のコンピュータ可読媒体。
（項目２１７）
前記流量センサは、使い捨て流量センサである、項目２１４または２１５に記載のコンピュータ可読媒体。
（項目２１８）
前記流量センサは、ニューモタコ管である、項目２１５、２１６、または２１７に記載のコンピュータ可読媒体。
（項目２１９）
前記ニューモタコ管は、リリータイプニューモタコ管である、項目２１８に記載のコンピュータ可読媒体。
（項目２２０）
前記検出ユニットはさらに、１つ以上のインジケータ要素を備える、項目２０３−２１９のうちのいずれか１項に記載のコンピュータ可読媒体。
（項目２２１）
前記１つ以上のインジケータ要素は、１つ以上の発光ダイオードを備える、項目２１４に記載のコンピュータ可読媒体。
（項目２２２）
前記電子デバイスによって実行されると、前記１つ以上の発光ダイオードに、前記検出ユニットを使用する対象またはユーザに指示させる命令をさらに備える、項目２２１に記載のコンピュータ可読媒体。
（項目２２３）
前記電子デバイスによって実行されると、前記検出ユニットに、吸息する、肺内に空気を保持する、または呼息するように前記対象に通知させる命令をさらに備える、項目２２２に記載のコンピュータ可読媒体。
（項目２２４）
前記電子デバイスによって実行されると、前記検出ユニットに、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示させる命令をさらに備える、項目２２３に記載のコンピュータ可読媒体。
（項目２２５）
前記１つ以上のインジケータ要素は、１つ以上の可聴源を備える、項目２１４に記載のコンピュータ可読媒体。
（項目２２６）
前記ベースステーションはさらに、１つ以上のインジケータ要素を備える、項目２０３−２１９のうちのいずれか１項に記載のコンピュータ可読媒体。
（項目２２７）
前記１つ以上のインジケータ要素は、１つ以上の発光ダイオードを備える、項目２２６に記載のコンピュータ可読媒体。
（項目２２８）
前記電子デバイスによって実行されると、前記１つ以上の発光ダイオードに、前記対象または前記ユーザに指示させる命令をさらに備える、項目２２７に記載のコンピュータ可読媒体。
（項目２２９）
前記電子デバイスによって実行されると、前記ベースステーションに、吸息する、肺内に空気を保持する、または呼息するように前記対象に通知させる命令をさらに備える、項目２２８に記載のコンピュータ可読媒体。
（項目２３０）
前記電子デバイスによって実行されると、前記ベースステーションに、少なくとも１、２、３、４、５、６、７、８、９、１０、１１、１２、１３、１４、１５、１６、１７、１８、１９、または２０秒にわたって吸息する、肺内に空気を保持する、または呼息するように前記対象に指示させる命令をさらに備える、項目２２９に記載のコンピュータ可読媒体。
（項目２３１）
前記１つ以上のインジケータ要素は、１つ以上の発光ダイオードを備える、項目２２６に記載のコンピュータ可読媒体。
（項目２３２）
前記検出ユニットはさらに、ジャイロスコープまたは加速度計を備える、項目２０３−２２４のうちのいずれか１項に記載のコンピュータ可読媒体。
（項目２３３）
前記電子デバイスによって実行されると、前記ジャイロスコープまたは加速度計に、配向、回転、および振動を含む、軸方向変化を検出させる命令をさらに備える、項目２３２に記載のコンピュータ可読媒体。
（項目２３４）
前記バイオメトリックセンサは、指紋センサである、項目２０３−２３３のうちのいずれか１項に記載のコンピュータ可読媒体。
（項目２３５）
前記電子デバイスによって実行されると、前記バイオメトリックセンサに、前記バイオメトリックデータを収集させる命令をさらに備える、項目２３４に記載のコンピュータ可読媒体。
（項目２３６）
前記電子デバイスによって実行されると、前記バイオメトリックデータに、アプリケーションへのアクセスを制御させる命令をさらに備える、項目２３５に記載のコンピュータ可読媒体。
（項目２３７）
前記電子デバイスによって実行されると、前記電子デバイスに、前記バイオメトリックデータを前記スパイロメトリデータと相関させる命令をさらに備える、項目２３５に記載のコンピュータ可読媒体。
（項目２３８）
前記電子デバイスによって実行されると、前記アプリケーションに、前記ベースステーション上に記憶されたスパイロメトリデータへのアクセスを提供させる命令をさらに備える、項目２３６に記載のコンピュータ可読媒体。
（項目２３９）
前記電子デバイスによって実行されると、前記アプリケーションに、前記検出ユニットを動作させるためのアクセスを提供させる命令をさらに備える、項目２３６に記載のコンピュータ可読媒体。
（項目２４０）
前記電子デバイスによって実行されると、前記アプリケーションに、前記ベースステーションを使用することを認可された個人を識別させる命令をさらに備える、項目２３６に記載のコンピュータ可読媒体。
（項目２４１）
前記個人は、臨床医である、項目２４０に記載のコンピュータ可読媒体。
（項目２４２）
前記電子デバイスによって実行されると、前記検出ユニットに、前記ベースステーション上で充電させる命令をさらに備える、項目２０３−２４１のうちのいずれか１項に記載のコンピュータ可読媒体。
（項目２４３）
前記電子デバイスによって実行されると、前記検出ユニットに、無線で充電させる命令をさらに備える、項目２４２に記載のコンピュータ可読媒体。
（項目２４４）
前記ネットワークは、無線ネットワークである、項目２１４のうちのいずれか１項に記載のコンピュータ可読媒体。
（項目２４５）
前記電子デバイスによって実行されると、前記ベースステーションに、Ｂｌｕｅｔｏｏｔｈ（登録商標）、ＺｉｇＢｅｅ、赤外線伝送、または他の短距離無線通信を使用して、前記検出ユニットと通信させる命令をさらに備える、項目２４４に記載のコンピュータ可読媒体。
（項目２４６）
前記電子デバイスによって実行されると、前記ベースステーションに、２つ以上の検出ユニットと通信させる命令をさらに備える、項目２４４に記載のコンピュータ可読媒体。
（項目２４７）
前記検出ユニットおよび前記ベースステーションは、ある距離だけ分離される、項目２４４に記載のコンピュータ可読媒体。
（項目２４８）
前記電子デバイスによって実行されると、前記ベースステーションに、データをデータベースまたはサーバに伝送させる命令をさらに備える、項目２１０または２１１に記載のコンピュータ可読媒体。
（項目２４９）
前記データベースまたはサーバは、クラウドベースのデータベースまたはサーバである、項目２４８に記載のコンピュータ可読媒体。
（項目２５０）
前記電子デバイスによって実行されると、前記ベースステーションに、有線接続を介してデータを前記データベースまたはサーバに伝送させる命令をさらに備える、項目２４８または２４９に記載のコンピュータ可読媒体。
（項目２５１）
前記有線接続は、ＵＳＢまたはイーサネット（登録商標）接続である、項目２５０に記載のコンピュータ可読媒体。
（項目２５２）
前記電子デバイスによって実行されると、前記ベースステーションに、無線接続を介してデータを前記データベースまたはサーバに伝送させる命令をさらに備える、項目２４８または２４９に記載のコンピュータ可読媒体。
（項目２５３）
前記無線接続は、Ｗｉ−Ｆｉ、３Ｇ、４Ｇ  ＬＴＥ、またはＢｌｕｅｔｏｏｔｈ（登録商標）接続である、項目２５２に記載のコンピュータ可読媒体。
（項目２５４）
前記ベースステーションはさらに、視覚ディスプレイを備える、項目２０３−２４８のうちのいずれか１項に記載のコンピュータ可読媒体。
（項目２５５）
前記電子デバイスによって実行されると、前記視覚ディスプレイに、リアルタイムでスパイロメトリデータを表示させる命令をさらに備える、項目２５４に記載のコンピュータ可読媒体。
（項目２５６）
前記電子デバイスによって実行されると、前記視覚ディスプレイに、リアルタイムで前記データの妥当性を示すアニメーションアイコンを表示させる命令をさらに備える、項目２５４に記載のコンピュータ可読媒体。
（項目２５７）
前記電子デバイスによって実行されると、前記視覚ディスプレイに、前記検出ユニットによって収集されたスパイロメトリデータの成功に関するフィードバックを提供する、ユーザアイコンまたは対象アイコンを表示させる命令をさらに備える、項目２５４に記載のコンピュータ可読媒体。